(57)【要約】  【課題】  水栓本体または吐水管または操作部を覆う陶器カバー体の破損を防止できる水栓と、グリップを覆う陶器カバー体またはシャワホルダーを覆う陶器カバー体の破損を防止できるシャワ器具とを提供すること。  【解決手段】  水栓本体５または吐水管２９または操作部５４，５４’を陶磁性材料からなるカバー体２，３０，２’で覆い、前記カバー体２，３０，２’の破損を防止するための緩衝材１２，１２’，１２’’’を設けている。【選択図】  図１
2005016286.tif 000002
【特許請求の範囲】
【請求項１】
水栓本体または吐水管または操作部を陶磁性材料からなるカバー体で覆い、前記カバー体の破損を防止するための緩衝材を設けたことを特徴とする水栓。
【請求項２】
前記カバー体の強度を確保するために前記カバー体の内周面に補強材を設け、この補強材内に前記水栓本体を設置するとともに、前記緩衝材を前記補強材の内周面に当接するよう前記水栓本体の外周面に設けてある請求項１に記載の水栓。
【請求項３】
前記補強材は金属製の薄いパイプであるとともに、前記カバー体の内周面と補強材の外周面をメタアクリル酸エステルを主成分とする接着液を用いて貼付けてある請求項２に記載の水栓。
【請求項４】
ハンドルの一部を陶磁性材料で構成し、この陶磁性材料の部分の破損を防止するための緩衝材を設けたことを特徴とする水栓。
【請求項５】
グリップまたはシャワホルダーを陶磁性材料からなるカバー体で覆い、前記カバー体の破損を防止するための緩衝材を設けたことを特徴とするシャワ器具。
【発明の詳細な説明】
【技術分野】
【０００１】
この発明は、水栓およびシャワ器具に関するものである。
【背景技術】
【０００２】
本出願人は、例えば図１９、図２０に示すように、水栓本体の胴８３を、外観が左右の方向（両矢印ａで示す方向）に長い直方体の形状をなす陶磁性材料からなるカバー体８０で覆うとともに、吐水管９５を、陶磁性材料からなる筒状のカバー体９６で覆った壁付きタイプの湯水混合水栓８４を開発中である（特願２００２−２４９０１２号明細書・図面参照）。カバー体８０，９６を陶磁性材料で構成することにより、従来より用いられていたステンレス等の加工性の良い金属や合成樹脂などでは得られなかった和風の外観や独特の重量感、肌触りが実現できる。
【０００３】
図１９、図２０において、水栓本体の胴８３はカバー体８０の左右側方開口８１，８２のいずれかから内部に挿入される。また、水栓本体の胴８３に湯配管用継手８５および水配管用継手８６を取り付けるのに、これら継手８５，８６が挿通可能な二つの穴８７，８８が陶磁性材料のカバー体（陶器カバー体）８０に形成されている。更に、この陶器カバー体８０は、上面部９０のａ方向に沿った中央位置に、吐水管用継手９１の挿通孔９２を有するとともに、胴８３は、前記挿通孔９２に対応する位置に、吐水管用継手９１を螺合させる雌ねじが形成された吐水管用孔９３を有し、吐水管用継手９１は、挿通孔９２を介して吐水管用孔９３に接続されており、吐水管用継手９１は、袋ナット９４で陶器カバー体８０の上面部９０に固定され、吐水管９５は、前記陶器カバー体９６の前面開口を覆うキャップ９７と、陶器カバー９６の後面開口を覆うキャップ９８を有している。グロー放電管構成したものが提案されている（前記特許文献１参照）。
【発明の開示】
【発明が解決しようとする課題】
【０００４】
ところで、陶器カバー体８０の前記左側方開口８１および前記右側方開口８２をそれぞれキャップ８１ａおよび８２ａにて閉塞するとともに、湯配管用継手８５に接続される袋ナット９０および水配管用継手８６に接続される袋ナット９１を締付けることにより陶器カバー体８０内に水栓本体の胴８３を固定するので、陶器カバー体８０が破損するおそれがあった。
【０００５】
また、吐水管９５の前記陶器カバー体９６の前面開口を覆うキャップ９７は、固定部材９９ａにねじ止めされており、前記陶器カバー体９６の後面開口を覆うキャップ９８も固定部材９９ｂにねじ止めされており、この締付けによりキャップ９７，９８が陶器カバー体９６の両端面部を押圧するので、陶器カバー体９６が破損するおそれがあった。
【０００６】
また、本出願人は、例えば浴室の壁面に保持させたり、手で握り持ったりして使用されるシャワのグリップを筒状の陶器カバー体の開口から内部に挿入したり、シャワホルダーを陶器カバー体で覆うことを開発中であるが、グリップやシャワホルダーをそれぞれ陶器カバー体内に固定する場合もこれら陶器カバー体の破損を防止する配慮が必要である。
【０００７】
この発明は上述の事柄に留意してなされたもので、その目的は、水栓本体または吐水管または操作部を覆う陶器カバー体の破損を防止できる水栓と、グリップを覆う陶器カバー体またはシャワホルダーを覆う陶器カバー体の破損を防止できるシャワ器具とを提供することである。
【課題を解決するための手段】
【０００８】
上記目的を達成するために、この発明の水栓は、水栓本体または吐水管または操作部を陶磁性材料からなるカバー体で覆い、前記カバー体の破損を防止するための緩衝材を設けている（請求項１）。
この場合、前記カバー体の強度を確保するために前記カバー体の内周面に補強材を設け、この補強材内に前記水栓本体を設置するとともに、前記緩衝材を前記補強材の内周面に当接するよう前記水栓本体の外周面に設けるのが好ましい（請求項２）。前記カバー体の内周面に補強材を設けることにより、補強材内に水栓本体を設置する組み立てのときにおいて、特にカバー体の端から水栓本体を設置する場合にカバー体のエッジに水栓本体等が当たって生じる衝撃に対して前記カバー体が割れ難くなるとともに、仮に前記カバー体が割れたとしても破片を飛散し難くでき、安全面で好ましい。
更に、前記補強材は金属製の薄いパイプであるとともに、前記カバー体の内周面と補強材の外周面をメタアクリル酸エステルを主成分とする接着液を用いて貼付けるのが好ましい（請求項３）。カバー体の内周面に前記補強材を設けた状態でカバー体を前記メタアクリル酸エステルを含浸した前記接着液に浸漬すると、カバー体の内周面と補強材の外周面間に発生する隙間に前記接着液が十二分に行き渡るとともに、９０℃以上に加熱すると、この接着液は９０℃以上で１００％反応硬化するため、カバー体の内周面と補強材の外周面との間に前記接着液の硬化してなる膜が形成されることになる。よって、はけを用いて通常の接着剤を前記補強材の外周面に塗布する場合に比して塗布量の均一性を向上できて、前記カバー体が破損した場合でも前記カバー体の破片を更に飛散し難くできるとともに、カバー体の外周面にも前記膜が形成される。この膜は無色透明であるので、前記カバー体の表面の意匠的効果は損なわれることはなく、また、前記膜は前記接着液が硬化して形成されているので、高温下を除く通常の使用時においては水や湯水によって溶けだすことはなく、更に、前記膜によって前記カバー体の外周面に傷が付いたりするのを防止できる。
【０００９】
また、この発明は別の観点から、ハンドルの一部を陶磁性材料で構成し、この陶磁性材料の部分の破損を防止するための緩衝材を設けたことを特徴とする水栓を提供する。
【発明の効果】
【００１０】
この発明では、水栓本体または吐水管または操作部を覆う陶器カバー体の破損を防止できる水栓と、グリップを覆う陶器カバー体またはシャワホルダーを覆う陶器カバー体の破損を防止できるシャワ器具とを提供することができる効果がある。。
【発明を実施するための最良の形態】
【００１１】
以下、この発明の実施形態を、図を参照しながら説明する。なお、それによってこの発明は限定されるものではない。
【００１２】
図１、図２は、シングルレバー１を備えており、陶磁性材料からなるカバー体（以下、陶器カバー体という）２の左右一対の側方開口３，４のいずれかから筒状の胴５よりなる水栓本体が挿入された後、この胴５を陶器カバー体２内に固定してあるこの発明の第１の実施形態の湯水混合水栓Ｒを示す。
【００１３】
図１、図２において、シングルレバー１を備えた湯水混合水栓Ｒは壁付きタイプの水栓である。陶器カバー体２は胴（水栓本体）５を覆うもので、外観が左右の方向（両矢印Ａで示す長手方向）に長い直方体の形状をなす。すなわち、陶器カバー体２は長手方向の長さが胴５の長手方向の長さよりも長くなるよう形成されている。陶器カバー体２の内部には、胴５が挿入可能な縦断面円形の貫通穴Ｓが前記Ａ方向に沿って形成されている。
一方、３０は、筒状の陶磁性材料からなるカバー体（以下、陶器カバー体という）で、軸芯Ｚまわりに回動自在に構成された吐水管２９を覆っている。陶器カバー体３０は、陶器カバー体３０の前面開口３１を覆うキャップ３２と陶器カバー体３０の後面開口３３を覆うキャップ３４を有する。３５は、吐水管２９の吐水口部で、陶器カバー体３０の吐水口部３５に対応する位置に設けた孔３７を介して陶器カバー体３０から下向きに突出するよう設置されている。
【００１４】
胴５は左右一対の側方開口３，４のいずれかから貫通穴Ｓ内に挿入され、胴５の軸芯と貫通穴ＳのＡ方向に沿う中心軸とを一致させた状態で、胴５は陶器カバー体２内に固定設置される。
前記胴５の外周面の左右の所定位置には、それぞれ湯配管用継手８に設けた湯穴１００に連通する湯配管用継手取り付け穴６および水配管用継手９に設けた水穴１０１に連通する水配管用継手取り付け穴７が形成されている。湯配管用継手取り付け穴６は、胴５内に形成される湯通水孔６ａを介して弁体Ｖの構成部材の一つであるセラミック製固定ディスクの湯通水孔に連通するとともに、水配管用継手取り付け穴７は、胴５内に形成される水通水孔７ａを介して前記固定ディスクの水通水孔に連通している。そして、弁体Ｖのもう一つの構成部材であるセラミック製の可動ディスクは、シングルレバー１の回動操作により前記固定ディスク上を摺動するようシングルレバー１に連動連結されており、吐水時には前記可動ディスクに形成されている導出孔に前記湯通水孔および／または前記水通水孔が連通する結果、例えば混合湯水が導出流路ｉを通って吐水管Ｔから吐水する。  
【００１５】
陶器カバー体２の背面部Ｋには、正面視円形の挿通丸穴Ｈ’およびｈ’が所定の間隔を有して設けられている。
そして、湯配管用継手８は、湯配管用継手８の湯穴１００に湯配管用継手取り付け穴６が連通するよう前記挿通丸穴Ｈ’を介して胴２に取り付けられる。また、水配管用継手９は、水配管用継手９の水穴１０１に水配管用継手取り付け穴７が連通するよう前記挿通丸穴ｈ’を介して胴５に取り付けられる。
【００１６】
更に、胴５は、湯配管用継手取り付け穴６の周縁の表面（胴５の外面）側に形成される平面視環状の凹入部ｍを有するとともに、水配管用継手取り付け穴７の周縁の表面（胴５の外面）側に形成される平面視環状の凹入部ｎを有する。
【００１７】
そして、前記凹入部ｍ上を前記湯配管用継手８が前記胴の軸芯方向に沿った方向（Ａ方向）に摺動可能に構成されるとともに、前記凹入部ｎ上を前記水配管用継手９が前記Ａ方向に摺動可能に構成されている。
【００１８】
１０は、前記平面視環状の凹入部ｍ内における外周縁部とこの凹入部ｍの外側の周囲における胴５の表面部（外周面部）５ａとを覆う筒状の湯側被覆部材で、湯配管用継手８の雄ねじ小径部８ａに螺合する雌ねじが形成された接続口部１０ａを有する。前記表面部（外周面部）５ａには、湯穴１００を通った湯が、湯配管用継手８および表面部（外周面部）５ａ間、ならびに、前記接続口部１０ａおよび表面部（外周面部）５ａ間から外部にリークするのを防止するよう、凹入部ｍを挟む形で左右一対のＯリングａ，ｂが設けられている。また、湯配管用継手８と表面部（外周面部）５ａの湯穴１００のまわりにおける当接部分にもＯリングａ’が設けられている。
【００１９】
一方、１１は、前記平面視環状の凹入部ｎ内における外周縁部とこの凹入部ｎの外側の周囲における胴５の表面部（外周面部）５ｂとを覆う筒状の水側被覆部材で、水配管用継手９の雄ねじ小径部９ａに螺合する雌ねじが形成された接続口部１１ａを有する。前記表面部（外周面部）５ｂには、水穴１０１を通った水が、水配管用継手９および表面部（外周面部）５ａ間、ならびに、前記接続口部１１ａおよび表面部（外周面部）５ａ間から外部にリークするのを防止するよう、凹入部ｎを挟む形で左右一対のＯリングｃ，ｄが設けられている。また、水配管用継手９と表面部（外周面部）５ｂの水穴１０１のまわりにおける当接部分にもＯリングｃ’が設けられている。
【００２０】
そして、湯側被覆部材１０を胴５にはめ込み、水側被覆部材１１を胴５にはめ込んだ後、左右一対の側方開口３，４のいずれかから貫通穴Ｓを介して胴５を陶器カバー体２内に挿入する。続いて、陶器カバー体２の挿通丸穴Ｈ’を介して湯配管用継手８を接続口部１０ａに接続した後、袋ナットＮを湯配管用継手８の雄ねじ大径部８ｂに螺合して袋ナットＮを陶器カバー体２の側に締付ける。また、陶器カバー体２の挿通丸穴ｈ’を介して水配管用継手９を接続口部１１ａに接続した後、もう一つの袋ナットＮを水配管用継手９の雄ねじ大径部９ｂに螺合して袋ナットＮを陶器カバー体２の側に締付ける。このとき、前記陶器カバー体２に形成される前記二つの挿通丸穴Ｈ，ｈの加工精度は胴５に形成される前記二つの継手取り付け穴６，７の加工精度よりも劣るので、前記挿通丸穴Ｈ’，ｈ’間のピッチと前記取り付け穴６，７間のピッチが必ずしも一致せず、前記陶器カバー体２に前記胴５を挿入しても最悪の場合、前記二つの継手８，９を取り付けるのが難しいという問題を以下の動作を行うことで対処できる。すなわち、例えば湯配管用継手８のねじ込み動作時において湯側被覆部材１０の接続口部１０ａを挿通穴Ｈ’を介して工具にて押し当てた後、湯側被覆部材１０を前記工具にてＡ方向に摺動させることで挿通丸穴Ｈを介して湯配管用継手８を接続口部１０ａに接続できる。同様に、水側被覆部材１１の接続口部１１ａを挿通穴ｈ’を介して工具にて押し当てた後、水側被覆部材１１を前記工具にてＡ方向に摺動させることで挿通穴ｈを介して水配管用継手９を接続口部１１ａに接続でき、胴５は陶器カバー体２内に宙吊り状態で胴５の軸芯と貫通穴ＳのＡ方向に沿う中心軸とが一致するよう配置される。
【００２１】
以上述べた構成ならびに動作は図１９に示した壁付きタイプの湯水混合水栓８４の場合と何ら変わるところがない。
【００２２】
以下、この発明の特徴的構成について説明する。
【００２３】
前記湯水混合水栓Ｒは、胴５を覆う陶器カバー体２の破損を防止するための一対の緩衝材１２，１２を有している。すなわち、前記挿通丸穴Ｈ’およびｈ’には、それぞれ同一形状の前記緩衝材１２が嵌込まれている。
【００２４】
つまり、袋ナットＮの締付け動作で、湯側においては陶器カバー体２が袋ナットＮおよび前記被覆部材１０に挟まれた状態で両者Ｎ，１０に押圧されるとともに、水側においても陶器カバー体２が袋ナットＮおよび前記被覆部材１１に挟まれた状態で両者Ｎ，１１に押圧される。そして、この押圧により生じる陶器カバー体２の破損を防止するために、前記緩衝材１２が設けられている。緩衝材１２は、弾性材料よりなる。
【００２５】
緩衝材１２は、縦断面コ字型のリング体で、袋ナットＮが当接するよう、径方向外向きに突出したリング状の鍔部２０と、被覆部材１０，１１の接続口部１０ａ，１１ａが当接するよう、径方向外向きに突出したリング状の鍔部２１と、これら両部２０，２１をつなぐ周面部２２とを有し、また、これら鍔部２０，２１、周面部２２とに囲まれて全周にわたり形成された環状溝ｔを有する。更に、前記環状溝ｔは、Ｕパッキンの環状溝のように径方向に直角な方向に沿って上側に向いた上向き開口、または、径方向に直角な方向に沿って下側に向いた下向き開口を有するのではなく、緩衝材１２の径方向に沿って、外側に向いた開口２３を有し、この開口２３を介して、正面視円形の前記挿通丸穴Ｈおよびｈを形成する背面部Ｋの内周端面部分２４が環状溝ｔにはめ込まれる。
【００２６】
而して、袋ナットＮを陶器カバー体２の側に締付けても、湯側においてはカバー体２が、陶器緩衝材１２の外向き鍔部２０，２１を介して袋ナットＮおよび前記被覆部材１０に挟まれた状態にあるので、両者Ｎ，１０の押圧によって陶器カバー体２が破損するおそれはなくなる。また、水側においては陶器カバー体２が、緩衝材１２の外向き鍔部２０，２１を介して袋ナットＮおよび前記被覆部材１１に挟まれるので、両者Ｎ，１１の押圧によって陶器カバー体２が破損するおそれはなくなる。
【００２７】
上記実施形態では、緩衝材１２を挿通丸穴Ｈ’およびｈ’に嵌込んだ陶器カバー体破損防止構造を示したが、図３に示すように、陶器カバー体２の背面部Ｋおよび袋ナットＮ間に緩衝材１２を介在させてもよい。この場合、湯側の緩衝材１２の前記周面部２２および水側の緩衝材１２の前記周面部２２は、それぞれ湯配管用継手８および水配管用継手９の側に位置している。なお、図３は、袋ナットＮ締付け動作前の状態を示す。
【００２８】
図４は、上記実施形態で用いた径方向外側に向いた開口２３を有する緩衝材１２の代わりに、径方向内側に向いた開口２３’を有する緩衝材１２’を用いて前記吐水管２９を覆う前記陶器カバー体３０の破損を防止するようにしたこの発明の第２の実施形態を示す。なお、図４において、図１〜図３に示した符号と同一のものは、同一または相当物である。
【００２９】
吐水管２９は、筒状の陶器カバー体３０で覆われている。吐水管２９の取り付け構造は、図１８で示した吐水管９５の場合と同じである。すなわち、陶器カバー体３０は、上面部３０ａ（図２参照）のＡ方向に沿った中央位置に、吐水管用継手４１の挿通孔（図示せず）を有するとともに、胴５は、前記挿通孔に対応する位置に、吐水管用継手４１を螺合させる雌ねじが形成された吐水管用孔（図示せず）を有し、吐水管用継手４１は、前記挿通孔を介して前記吐水管用孔に接続されており、吐水管用継手４１は、袋ナット４２で陶器カバー体３０の上面部３０ａに固定されている。
【００３０】
そして、上述したように、、吐水管２９は、前記陶器カバー体３０の前面開口３１を覆うキャップ３２と、陶器カバー３０の後面開口３３を覆うキャップ３４を有している。キャップ３２は、固定部材３２ａにねじ止めされており、キャップ３４も固定部材３４ａにねじ止めされている。
【００３１】
前記陶器カバー体３０は、前面開口３１および後面開口３３を形成する両端面部に緩衝材１２’が嵌合可能な環状溝３１ａおよび３３ａをそれぞれ有する。
【００３２】
緩衝材１２’は、縦断面コ字型のリング体で、径方向内向きに突出したリング状の一対の鍔部２０’，２１’と、これら両部２０’，２１’をつなぐ周面部２２’とを有し、また、これら鍔部２０’，２１’、周面部２２’とに囲まれて全周にわたり形成された環状溝ｔ’を有する。更に、前記環状溝ｔ’は、Ｕパッキンの環状溝のように径方向に直角な方向に沿って上側に向いた上向き開口、または、径方向に直角な方向に沿って下側に向いた下向き開口を有するのではなく、緩衝材１２’の径方向に沿って、内側に向いた開口２３’を有する。
【００３３】
そして、陶器カバー体３０の環状溝３１ａに緩衝材１２’を設置した後、前面開口３１を覆うようキャップ３２を締付けることにより、環状溝３１ａおよびキャップ３２の内周面間に緩衝材１２’が挟まれて緩衝作用を呈する。一方、陶器カバー体３０の環状溝３３ａに緩衝材１２’を設置した後、後面開口３３を覆うようキャップ３４を締付けることにより、環状溝３３ａおよびキャップ３４の内周面間に緩衝材１２’が挟まれて緩衝作用を呈する。これにより、吐水管２９を覆う陶器カバー体３０の破損を防止できる。
【００３４】
図５、図６は、湯配管用継手８に設けた湯穴１００から湯配管用継手取り付け穴６を通って筒状の胴（水栓本体）５内に導入される湯の流量調節と吐水・止水操作を行う操作部材５０と、水配管用継手９に設けた水穴１０１から水配管用継手取り付け穴７を通って胴５内に導入される水の流量調節と吐水・止水操作を行う操作部材５１とを、胴５の左右に備えており、外観が左右の方向（両矢印Ａで示す方向）に長い直方体の形状をなす陶器カバー体２の左右一対の側方開口３，４のいずれかから前記筒状の胴（水栓本体）５が挿入された後、この胴５を陶器カバー体２内に固定してあるこの発明の第３の実施形態を示す。なお、図５、図６において、図１〜図４に示した符号と同一のものは、同一または相当物である。
【００３５】
この実施形態の湯水混合水栓Ｒ’は、上記第１の実施形態で示したシングルレバー式の湯水混合水栓Ｒと異なり二つの操作部材５０，５１を備えた、いわゆるツーバルブ式の湯水混合水栓である。この湯水混合水栓Ｒ’は壁付きタイプの水栓である。
そして、この第３の実施形態でも、図１に示す第１の実施形態で示したような、胴５に取り付けられる湯配管用継手８および水配管用継手９間のピッチを可変にできる可変手段と同一構成のものを有している。
【００３６】
また、５３は、弁体で、胴５の軸芯のまわりに回動操作される栓棒５４に連動連結されるセラミック製の可動ディスク５５と、この可動ディスク５５が摺動する摺動面を有するとともに、可動ディスク５５に形成されている通水孔に連通する通水孔を有するセラミック製の固定ディスク５６とより構成される。この弁体５３は一対用意されており、一方の弁体５３は、陶器カバー体２の左側方開口３から胴５の左側方開口３’（図６参照）を介して胴５内に挿入されて胴５の湯室Ｈに収容され、他方の弁体５３は、陶器カバー体２の右側方開口４から胴５の右側方開口４’（図６参照）を介して胴５内に挿入されて胴５の水室Ｃに収容される。
【００３７】
以下、特徴的構成について説明する。
【００３８】
６５は、湯配管用継手８の側に位置する一方の緩衝部材で、栓棒５４を挿通させながら左側方開口３から陶器カバー体２内に挿入される。
【００３９】
６６は、水配管用継手９の側に位置する他方の緩衝部材で、栓棒５４を挿通させながら右側方開口４から陶器カバー体５内に挿入される。
【００４０】
二つの緩衝部材６５，６６は、同一形状で、陶器カバー体２の貫通穴Ｓにはめ込まれるよう筒状形状をなし、弾性材料で形成されている。
【００４１】
緩衝部材６５は、挿入方向内側に湯側被覆部材１０の環状端面部分１０ｅおよび胴５の一方の環状端面部分５ｅを挟む環状の溝６７を有する。
【００４２】
更に、緩衝部材６５は、湯配管用継手８の雄ねじ大径部８ｂに螺合する袋ナットＮを介して胴５を陶器カバー体２内に宙づりの状態で固定したときに、袋ナットＮによる締付け等によって陶器カバー体２が破損しないように陶器カバー体２の破損を防止する環状のクッション部６８を外周側に有する。
【００４３】
また、緩衝部材６６は、挿入方向内側に水側被覆部材１１の環状端面部分１１ｅおよび胴５の他方の環状端面部分５ｆを挟む環状の溝６７’を有する。
【００４４】
更に、緩衝部材６６は、水配管用継手９の雄ねじ大径部９ｂに螺合する袋ナットＮを介して胴５を陶器カバー体２内に宙づりの状態で固定したときに、袋ナットＮによる締付け等によって陶器カバー体２が破損しないように陶器カバー体２の破損を防止する環状のクッション部６８’を外周側に有する。
【００４５】
緩衝部材６５，６６を取り付けた後は、貫通穴Ｓの左右一対の側方開口３および４をそれぞれ閉塞する金属製で環状の閉塞体７３および７４が陶器カバー体２に取り付けられる。続いて、湯側においては、閉塞体７３の中央孔７３ａを挿通した状態で環状の固定部材７５に形成されている雄ねじ７５ａを緩衝部材６５の内周面に形成されている雌ねじ６５ｅに螺合することで緩衝部材６５に固定部材７５が取り付けられる。栓棒５４は固定部材７５の中央孔７５ｂを挿通している。
【００４６】
同様に、緩衝部材６６に固定部材７６が栓棒５４を挿通させながら取り付けられる。すなわち、水側においては、閉塞体７４の中央孔７４ａを挿通した状態で環状の固定部材７６に形成されている雄ねじ７６ａを緩衝部材６６の内周面に形成されている雌ねじ６６ｅに螺合することで緩衝部材６６に固定部材７６が取り付けられる。栓棒５４は固定部材７６の中央孔７６ｂを挿通している。
続いて、左右の固定部材７５，７６に、それぞれ栓棒５４を回動操作するための操作部材（ハンドル）５０，５１を回動可能に取り付ける。
【００４７】
例えば水側の操作部材５１は、栓棒５４に連動連結する縦断面Ｔ字形状の金属製の操作部７７と、操作部７７の軸受部分７８と、縦断面コ字形状で操作部７７の円板部７７ｅの内面側に設けられ、操作部７７の中央軸芯部７７ｄが貫通する貫通孔ｔを中心軸上に有する筒状の陶磁性材料よりなる化粧部７９とより構成される。なお、操作部７７は、回動操作のための金属製の操作レバー部（図示せず）を円板部７７ｅから突出させた状態で有する。化粧部７９は、操作部材５１の一部である軸受部分７８と固定部材７６と中央軸芯部７７ｄを覆うもので、カバー体としても機能する。
【００４８】
更に、この実施形態では図５（Ｂ）に示すように、前記操作部７７は、化粧部７９に当接する内周面７７ａにおける外側に、図４で示した緩衝材１２’が嵌合可能な環状溝７７ｂをそれぞれ有する。なお、図５（Ｂ）は、操作部７７の連結動作前の状態を示す。
【００４９】
また、湯側の操作部材５０は、栓棒５４に連動連結する縦断面Ｔ字形状の金属製の操作部７７’と、操作部７７’の軸受部分７８’と、縦断面コ字形状で操作部７７’の円板部７７ｅ’の内面側に設けられ、操作部７７’の中央軸芯部７７ｄ’が貫通する貫通孔ｔ’を中心軸上に有する筒状の陶磁性材料よりなる化粧部７９’とより構成される。なお、操作部７７’は、回動操作のための金属製の操作レバー部（図示せず）を円板部７７ｅ’から突出させた状態で有する。化粧部７９’は、操作部材５０の一部である軸受部分７８’と固定部材７５と中央軸芯部７７ｄ’を覆うもので、カバー体としても機能する。
また、前記環状溝７７ｂと同様の環状溝７７ｃが操作部材５０の操作部７７’にも形成されており、この環状溝７７ｃに図４で示した緩衝材１２’が嵌合している。操作部７７’は操作部７７と同一構成のものである。また、操作部材５０の化粧部７９’も化粧部７９と同一構成である。
【００５０】
そして、操作部材５０および５１の環状溝７７ｃおよび７７ｂにそれぞれ緩衝材１２’を設置した後、操作部７７’および７７をそれぞれ栓棒５４に連結することにより、操作部材５０および化粧部７９’間の当接面部の一部に緩衝材１２’が挟まれて緩衝作用を呈するとともに、操作部材５１および化粧部７９間の当接面部の一部に緩衝材１２’が挟まれて緩衝作用を呈する。これにより、操作部材５０および５１の一部である陶磁性材料よりなる化粧部７９’および７９の破損をそれぞれ防止できる。
【００５１】
上記第１の実施形態で示した湯水混合水栓Ｒおよび上記第３の実施形態で示した湯水混合水栓Ｒ’は、いずれも胴５に設けた湯側被覆部材１０および水側被覆部材１１と、湯側被覆部材１０にねじ接続された湯配管用継手８および水側被覆部材１１にねじ接続された水配管用継手９と、湯配管用継手８に螺合する袋ナットＮおよび水配管用継手９に螺合する袋ナットＮとを備え、湯側被覆部材１０を介して湯配管用継手８を胴５に取り付けるとともに、水側被覆部材１１を介して水配管用継手９を胴５に取り付けていた。
【００５２】
図７〜図９は、前記湯水混合水栓Ｒ’と同様にツーバルブ式で、壁付きタイプのものであるが、湯配管用継手８および水配管用継手９をそれぞれ胴（水栓本体）５に直接ねじ接続して構成されたこの発明の第４の実施形態の湯水混合水栓Ｒ’’を示す。陶器カバー体２は、外観が左右の方向（両矢印Ａで示す長手方向）に長い直方体の形状をなし、長手方向の長さが胴５の長手方向の長さよりも若干長くなるよう形成されている。陶器カバー体２の内部には、胴５が挿入可能な縦断面円形の貫通穴Ｓが前記Ａ方向に沿って形成されている。なお、図７〜図９において、図１〜図６に示した符号と同一のものは、同一または相当物である。
【００５３】
この実施形態では、前記陶器カバー体２の強度を確保するために前記陶器カバー体２の内周面に金属製の薄いパイプＰ（例えば真鍮）を、メタアクリル酸エステルを主成分とする接着液を用いて貼付け、この薄いパイプＰ内に前記胴（水栓本体）５を挿入により設置するとともに、陶器カバー体２の破損を防止するための一対のリング状の緩衝材１２’’，１２’’が前記薄いパイプＰの内周面ｇに当接するよう一対のリング状の緩衝材１２’’，１２’’を前記胴５の外周面５ａに形成した環状の溝Ｘ，Ｙに設けてある。
【００５４】
すなわち、前記胴５は、湯配管用継手８に設けた湯穴１００から湯配管用継手取り付け穴６を通って筒状の胴５内に導入され、湯の流量調節と吐水・止水操作を行う操作部材５０’と、水配管用継手９に設けた水穴１０１から水配管用継手取り付け穴７を通って胴５内に導入され、水の流量調節と吐水・止水操作を行う操作部材５１’とを、前記Ａ方向に沿う左右に備えており、また、前記Ａ方向に沿う中央内部に湯水混合室Ｅを有し、また、この湯水混合室Ｅにおける前記外周面５ａに一対の環状溝Ｘ，Ｙを所定間隔あけて有し、この環状溝ＸおよびＹに前記緩衝材１２’’および１２’’がそれぞれ嵌込まれている。  また、前記胴５の両端面部における内周面には雌ねじＬ，Ｌが形成されている。
【００５５】
而して、陶器カバー体２の内周面に真鍮製の薄いパイプＰを、メタアクリル酸エステルを主成分とする接着液を用いて貼付ける。この場合、陶器カバー体２とパイプＰの脱脂処理、パイプＰの防錆処理を行った後陶器カバー体２内にパイプＰを挿入し、これをメタアクリル酸エステルを含浸した無色透明の接着液に浸漬する。その後接着液槽内から、パイプＰを挿入した陶器カバー体２を取り出して液切りを行い、続いて洗浄液で洗浄した後、９０℃以上で硬化させる。続いて、緩衝材１２’’および１２’’をそれぞれ胴５の環状溝ＸおよびＹにはめ込んだ後、貫通穴Ｓに挿入されて陶器カバー体２内に密着状態で設置されている金属製の薄いパイプＰ内に胴５を陶器カバー体２の左右一対の側方開口３，４のいずれかの側から挿入する。続いて、陶器カバー体２の挿通丸穴Ｈ’を介して湯配管用継手取り付け穴６に設けた雌ねじに湯配管用継手８の雄ねじ小径部８ａを螺合して湯配管用継手８を直接胴５に接続する。また、陶器カバー体２の挿通丸穴ｈ’を介して水配管用継手取り付け穴７に設けた雌ねじに水配管用継手９の雄ねじ小径部９ａを螺合して水配管用継手９を直接胴５に接続する。その後、貫通穴Ｓの左右一対の側方開口３および４の側をそれぞれ湯側操作手段５０’’および水側操作手段５１’’で閉塞する。
【００５６】
例えば水側においては、胴５の前記雌ねじＬに環状の固定部材７６’を螺合させるとともに、固定部材７６’に外嵌した状態で係止されている環状の閉塞体７４’で陶器カバー体２の右側方開口４を閉塞する。続いて、固定部材７６’に栓棒５４を回動操作するための操作部材５１’を回動可能に取り付ける。操作部材５１’は、栓棒５４に連動連結する円柱状で、かつ縦断面コ字形状の金属製の操作部７７’’と、固定部材７６’に形成した雌ねじＫに螺合する雄ねじを有し、栓棒５４が挿通可能な環状の栓棒挿通部７８’’と、筒状で、栓棒挿通部７８’’の小径部分７８ａ’’に嵌込まれ、嵌込まれた状態では操作部７７’’の胴面Ｆと面一になる胴面Ｆ’を有する陶磁性材料よりなる化粧部７９’’とより構成される。なお、操作部７７’’は、回動操作のための金属製の操作レバー部７７ｇ’’を胴面Ｆから突出させた状態で有する。化粧部７９’’は、操作部材５１’の一部である栓棒挿通部７８’’の小径部分７８ａ’’を覆うもので、カバー体としても機能する。
【００５７】
そして、前記固定部材７６’、閉塞体７４’および操作部材５１’とで水側操作手段５１’’が構成される。
【００５８】
なお、湯側も、固定部材７６’、閉塞体７４’および操作部材５１’と同一構成の部材よりなる湯側操作手段５０’’を有するので、湯側操作手段５０’’を構成する部材には、水側操作手段５１’’を構成する部材と同一の符号を付してある。
【００５９】
また、図９に示すように、吐水管２９を覆う陶器カバー体３０の強度を確保するために陶器カバー体３０の内周面に金属製の薄いパイプＰ’を貼付け、この薄いパイプ内に吐水管２９を設置するとともに、緩衝材１２ａ”をキャップ３４の固定部材３４ａとパイプＰ’との間に設けてある。
なお、緩衝材１２ａ”を前記薄いパイプＰ’と吐水管２９との間、すなわち、前記薄いパイプＰ’の内周面に当接するよう吐水管２９の外周面に設けてもよい。
【００６０】
更に、この実施形態の湯水混合水栓Ｒ’’は、給湯配管および給水配管に接続する部分にそれぞれ特徴的構成の偏心管２００，２０１を有する。前記偏心管２００，２０１は、同一構成であるので、以下、湯側の偏心管２００についてだけ説明する。
【００６１】
偏心管２００は、一端に胴５に対する接続部、他端に前記給湯配管に対する接続部を有し、前記両接続部の中心がずれるように配置されている。この偏心管２００と水側の偏心管２０１を用いることにより、壁面に形成された前記給湯配管および給水配管の間隔が胴５の湯配管用継手取り付け穴６および水配管用継手取り付け穴７の間隔と異なる場合にも、これを接続可能としている。
【００６２】
以下、偏心管２００について説明する。
【００６３】
図１０は偏心管２００の構成を拡大して示す図である。
図１０において、２０２は一端に胴５に対する接続部２０３、他端に給湯配管に対する接続部２０４を形成し、両接続部２０３，２０４の中心が例えば５ｍｍ程度ずれるように配置されてなる偏心管本体であって、２０５は２つの半割り体２０６，２０７に分離可能であると共に、偏心管本体２０２の外側面２０２ａに沿う形状のガイド溝２０７ａを有することで、偏心管本体２０２に対して摺動自在に被覆する合成樹脂からなるカバーである。
【００６４】
また、２０８はこのカバー２０５と偏心管本体２０２の間に位置して、前記半割り体２０６，２０７を組み付けたときに弾性変形することで、偏心管本体２０２に対するカバー２０５の摺動位置を摩擦によって保持する軟質合成樹脂からなる位置保持部材の一例として、偏心管本体２０２の外周面の接続部２０４の近傍に、カバー２０２の摺動方向に等間隔に並べて形成された溝２０９に嵌合する複数のＯリングである。
【００６５】
なお、本例ではＯリング２０８および溝２０９の数を４つとして説明しているが、その数を限定するものではない。また、区別が必要なときは各Ｏリング２０８を２０８ａ〜２０８ｄの符号によって表す。
【００６６】
前記偏心管本体２０２は、その内部に接続部２０４に連通する第１流路２１０と、接続部２０３に連通する第２流路２１１と、両流路２１０，２１１間の連通流路２１２に弁座２１３とを形成し、かつ、偏心管本体２０２がこの弁座２１３に当接する流量調整弁２１４と、両流路２１０，２１１間の連通部２１２に位置するストレーナ２１５とを組み付けてなり、偏心管本体２０２の側面に設けた一つの調整部２１６から前記流量調整弁２１４を用いた流量調整とストレーナ２１５の交換を可能とすると共に、前記カバー２０５がこの調整部２１６を外部に露出させるための開口２０６ａを有する。また、前記接続部２０３には金属製の袋ナット２１７をフランジ部材２１８によって係合させる。
【００６７】
前記第１流路２１０は偏心管本体２０２の図示下方から斜め上方向に掘削成形したドリルなどの刃具を用いて掘削成形した流路２１０ａおよび真上方向に流路２１０ｂとからなり、第２流路は、図示上方から真下方向に掘削成形してなり、連通流路２１２は前記流路２１０ａに直角方向に連通するように側面から斜め下方向に掘削成形した小径の流路２１２ａと、第２流路２１１に連通するように側面から横方向に掘削成形した流路２１２ｂと、流路２１２ｂに連通すると共に流路２１２ａと同軸方向に掘削成形した大径の流路２１２ｃと、この流路２１２ｃと方向に掘削成形した更に大径の流路２１２ｄとからなる。
【００６８】
上述のように複数の流路２１０ａ，２１０ｂ，２１１，２１２ａ〜２１２ｂを掘削成形することにより、複雑に入り組んだ各流路２１０〜２１２を形成し、流路２１２ａと流路２１２ｃの間に形成される段部に流量調整弁２１４が当接する弁座２１３を形成し、流路２１２ｃと流路２１２ｄとの間に形成される段部にストレーナ２１５が当接させることができる。つまり、複雑に入り組んだ各部を比較的容易かつ正確に形成することができるので、製造コストを引き下げると共に質の良い偏心管本体２０２を形成することができる。
【００６９】
次いで、流路２１２ｃ内に設けた雌ねじに対して前記流量調整弁２１４を螺合し、流路２１２ｄ内に設けた雌ねじに対してストレーナ２１５を螺合することにより、流通流路２１２内に流量調整弁２１４とストレーナ２１５を同芯円状に埋設する。つまり、ストレーナ２１５と流量調整弁２１４を偏心管本体２０２の側面の同じ方向から取り付けているので、一つの調整部２１６から前記流量調整弁２１４を用いた流量調整とストレーナ２１５の交換を可能としている。また、この調整部２１６は開放端部２１２ｅにほゞ面一に形成する（むしろ、調整部２１６は開放端部２１２ｅから幾らか凹んだ状態で埋設させる）ことができる。
【００７０】
つまり、調整部２１６が開放端部２１２ｅから突出していないので、使用者は意識しないかぎり調整部２１６に接触することがなく、それだけやけどに対する安全性を高めることができる。加えて、調整部２１６が形成された開放端部２１２がカバー２５の開口２０６ａから露出しているので、ストレーナ２１５の交換や流量調整弁２１４の調節などのメンテナンスを容易に行うことができる。なお、やけどに対する安全性をさらに高めるために開口２０６ａに蓋を設けることや、カバー２０５に開口２０６ａを無くして偏心管本体２０２の全体を覆うようにしてもよい。
【００７１】
なお、本例では偏心管本体２０２を金属によって形成しているので、堅牢性に優れているが、強度が十分であれば偏心管本体２０２を硬質の合成樹脂によって形成してもよい。この場合、接続部２０４の雄ねじ部２０４ａを金属によって形成する。つまり、偏心管本体２０２の大部分が合成樹脂によって形成される場合には、流路２１０〜２１２を流通する熱湯からの熱が外部に漏出することを極力少なくすることができ、やけどの発生を防止できる。
【００７２】
図１１、図１２は前記カバー２０５の構成を示す断面図および平面図であり、図１３は２つの半割り体２０６，２０７を組み付ける方法を説明する斜視図である。これらの図に示すように、前記半割り体２０６には適所に突起２０６ｂを形成し、これが半割り体２０７の凹入部２０７ｂに嵌合する。また、半割り体２０７には適所にフック２０７ｃを形成し、これが半割り体２０６の段部２０６ｃに嵌合する。すなわち、半割り体２０６，２０７は組み付けたときにこの組み付け状態を強固に保持するように嵌合するための係合片２１９，２２０を有する。
【００７３】
図１３、図１４はカバー２０５に組み付け手順を説明する分解斜視図である。これらの図に示すように、前記２つの半割り体２０６，２０７の組み付けに際して、半割り体２０７の内側面におけるガイド溝２０７ａが、偏心管本体２０２の側面２０２ａに沿う形状に形成されている。したがって、偏心管本体２０２に対する半割り体２０７の摺動を安定して行うことができ、カバー２０５の組み付け操作が容易となる。
【００７４】
また、半割り体２０６，２０７の組み付けによって、図１０に拡大して示すように、Ｏリング２０８（２０８ａ）が弾性変形し、このＯリング２０８と半割り体２０６，２０７の縁部２０６ｄ，２０７ｄとの間における大きな摩擦を生み出す。すなわち、Ｏリング２０８と縁部２０６ｄ，２０７ｄとの間の摩擦によってカバー２０５の摺動位置を固定して、その位置決めを行うことができる。なお、図１０の拡大図に示す例では、縁部２０６ｄがちょうどＯリング２０８ａの位置と重なるので、Ｏリング２０８（２０８ａ）は縁部２０６ｄに押されて弾性変形し、両者２０６ｄ，２０８ａの摩擦抵抗が大きくなり、その位置ズレを阻止することができる。
【００７５】
図１５はカバー２０５の取付け例を示す図である。図１５（Ａ）は比較的厚い壁２２１に偏心管２０１を取り付けた場合、図１５（Ｂ）は比較的薄い壁２２２に偏心管２０１を取り付けた場合を示している。
【００７６】
図１５（Ａ）に示す壁２２１はその厚みＷ1 が比較的厚いので、拡大図に示すように、半割り体２０６の縁部２０６ａがＯリング２０８ａ，２０８ｂの間に位置する状態で、カバー２０５の一端部２０５ａは壁２２１にちょうど当接する。一方、図１５（Ｂ）に示す壁２２２はその厚みＷ2 が比較的薄いので、拡大図に示すように、半割り体２０６の縁部２０６ａがＯリング２０８ｃ，２０８ｄの間に位置する状態で、カバー２０５の一端部２０５ａは壁２２２にちょうど当接する。
【００７７】
すなわち、壁２２１，２２２の厚さＷ1 ，Ｗ2 に関係なく、どんな厚さの壁２２１、２２２であってもカバー２０５を壁面に密着させることができるので、見栄えがよく、かつ、やけど防止の機能を持たせることができる。
【００７８】
そして、本例の場合、縁部２０６ａの幅が２つのＯリング２０８の間に位置するところで係合しているが、このときもＯリング２０８が弾性変形することにより、偏心管本体２０２に対するカバー２０５の摺動位置は確実に保持することができる。すなわち、使用者がカバー２０５に触れることがあっても、カバー２０５の摺動位置が容易に動かないので、カバー２０５の一端部２０５ａが壁２２１，２２２から離れて見栄えが悪くなることはない。
【００７９】
なお、本例では前記Ｏリング２０８ａ〜２０８ｄを設ける間隔が、縁部２０６ａの厚さと同じとか、これよりも狭い間隔に設定してある。これによって、偏心管本体２０２に対するカバー２０５の摺動位置は無段階に設定可能であり、どの位置においてもほゞ同じ力で位置決めすることが可能である。しかしながら、ユニットバスに使用される壁２２１，２２２の厚さの規格に合わせたカバー２０５の取付け位置をほゞ固定するようにＯリング２０８の取付け位置を設定してもよい。
【００８０】
さらに、Ｏリング２０８の数を限定するものではない。すなわち、もっと多くのＯリング２０８を並べて配置しても、溝２０９だけ多数形成してＯリング２０８の数を１つにしても良い。また、Ｏリング２０８の変わりに、縁部２０６ｄ，２０７ｄまたは偏心管本体２０２の側面に軟質合成樹脂からなる突起などの位置保持部材を形成してもよい。
【００８１】
何れにしても、軟質合成樹脂からなるＯリング２０８（位置保持部材）は、半割り体２０６，２０７の組み付けによって弾性変形することで、大きな摩擦力を生み出すので、偏心管本体２０２に対するカバー２０５の位置決めを確実に行うことができる。そして、半割り体２０６，２０７の組み付け状態は係合片２２０（２０６ｃ，２０７ｃ）によって確実に保持できるので、一度決めたカバー２０５の位置は容易にずれることがない。
【００８２】
この実施形態では、一端に湯水混合栓に対する接続部、他端に配管に対する接続部を形成し、両接続部の中心がずれるように配置されてなる偏心管本体と、分離可能である２つの半割り体からなり、偏心管本体の外側面に沿う形状のガイド溝を有することで、偏心管本体に対して摺動自在に被覆し、かつ壁面との間の隙間を無くすことができる樹脂製カバーと、このカバーと偏心管本体の間に位置し、前記半割り体を組み付けたときに弾性変形することで、偏心管本体に対するカバーの摺動位置を摩擦によって保持する軟質合成樹脂からなる位置保持部材とを有することを特徴とする偏心管２００，２０１を設けた。
上記構成の偏心管２００を用いることにより、偏心管本体を用いて配管の間隔が異なっていても湯水混合栓を取付け可能であると共に、壁面に対する配管の深さ位置が異なる場合であっても、カバーを適宜摺動させて、壁面との間に隙間を無くすことができる。加えて、カバーは樹脂製であるから熱伝導率が低く、カバーの表面は高温になることがない。したがって、使用者は給湯側のカバーに触れることがあってもやけどを負うことがない。
【００８３】
また、カバーは２つの半割り体に分離可能であるから、偏心管本体のほゞ全体を覆うことができ、カバー取付け用の切り欠きが偏心管本体の一面を大きく露出させることがないと共に、取り付け作業が極めて容易となる。つまり、偏心管本体の配管を連結した後に、簡単な作業でカバーを取り付けることで偏心管の見栄えが良くなると共に、やけどの発生をより確実に予防できる。
【００８４】
加えて、カバーの摺動位置は、２つの半割り体の組み付けに連動する位置保持部材の弾性変形により生じる高摩擦抵抗によって保持されるので、取付け時に位置決めされたカバー体の摺動位置は容易にずれることがなく、施工後も長期に渡って見栄えの良い状態を保つことができる。さらに、カバーは偏心管本体の外側面に沿う形状のガイド溝を有するので、前記摺動を安定して行うことができると共に、施工後の安定性や堅牢性を増すことができる。
【００８５】
前記偏心管本体が、前記配管に対する接続部に連通する第１流路と、前記湯水混合栓に対する接続部に連通する第２流路と、偏心管本体の側面方向から形成された両流路間の連通流路と、この連通流路内に形成された弁座と、この弁座に当接するように連通流路内において螺合する流量調整弁と、同連通流路内において螺合するストレーナとを有し、偏心管本体の側面に配置された連通流路の開放端部にほゞ面一に設けた一つの調整部から前記流量調整弁を用いた流量調整とストレーナの交換を可能とすると共に、前記カバーが前記連通流路の開放端部のみを外部に露出させるための開口を有する場合には、カバーを取り付けたままの状態でストレーナの交換や流量調整を容易に行なうことができると共に、これによって露出する偏心管本体の部分を必要最小限に抑えることができる。
【００８６】
また、カバーから露出させる部分は調整部を形成した連通流路の開放端部のみの必要最小部分であり、調整部は連通流路に埋設されることにより、その開放端部にほゞ面一に位置する流量調整弁と、ストレーナの端部によって形成されたものであるから、使用者がこの部分に容易に接触することがなく、それだけやけどの発生を防止できる。
【００８７】
前記位置保持部材が偏心管本体の外周面に形成された溝に嵌合するＯリングである場合には、位置保持部材を極めて容易に形成できると共に製造コストを削減することができる。
【００８８】
前記Ｏリングをカバーの摺動方向に複数並べて設けてなる場合には、カバーの摺動位置にかかわらず適宜の強さで位置決めを行うことができる。
【００８９】
前記２つの半割り体を組み付けたときに嵌合する係合片を設けた場合には、半割り体を組み付けた状態で、位置保持部材を弾性変形させた状態を容易に保持することができ安定性が向上する。
【００９０】
図１６は、この発明の第５の実施形態を示す。この実施形態では、洗面台の上面設置部３９９’上に設置されるツーバルブ式の湯水混合水栓Ｒ1 に陶磁性材料からなるカバー体２，２’，３０’が設けられている。なお、図１６において、図１〜図１５に示した符号と同一のものは、同一または相当物である。  
【００９１】
図１６において、湯水混合水栓Ｒ1 は、湯側と水側にそれぞれ湯量と水量の調節ならびに止水・吐水状態に切り替え操作するための操作部１３０を備えたツーバルブ式のものである。湯水混合水栓Ｒ1 の胴（水栓本体）５は、上大径部５ｇと下小径部５ｈより構成され、胴５の正面向かって右側に水側の操作部１３０が位置し、左側に湯側の操作部１３０が位置し、水側の操作部１３０および湯側の操作部１３０のそれぞれ最上流側に、弁体５３（図３参照）が位置している。弁体５３は、軸芯のまわりに回動操作される栓棒５４に連動連結されるセラミック製の可動ディスク５５とこの可動ディスク５５が摺動する摺動面を有するとともに、可動ディスク５５に形成されている通水孔に連通する通水孔を有するセラミック製の固定ディスク５６とより構成される。
前記胴５は、洗面台の上面設置部３９９’上に、取付部材４０３を介して立設されている。取付部材４０３の下流端は下小径部５ｈに連結されている。前記取付部材４０３は、胴５内に形成された混合水供給路Ｅ’と湯水混合室Ｅを連通する縦方向に長尺の連通路４０２を形成する。前記湯水混合室Ｅは、上面設置部３９９’下方に位置する導入管４０４内に形成されており、導入管４０４の両端は前記弁体５３を介して湯用配管、水用配管に接続されている。
湯水混合水栓Ｒ1 の胴５を覆う陶器カバー体２は、外観が上下の方向（両矢印Ａ’で示す長手方向）に長い直方体の形状をなし、長手方向の長さが胴５の長手方向の長さよりも若干長くなるよう形成されている。陶器カバー体２の内部には、胴５が挿入可能な縦断面円形の貫通穴ＳがＡ’方向に沿って形成されている。  この実施形態では、前記陶器カバー体２の強度を確保するために前記陶器カバー体２の内周面に金属製の薄いパイプＰを接着剤などの接着手段を用いて貼付け、この薄いパイプＰ内に前記胴５を挿入により設置するとともに、陶器カバー体２の破損を防止するためのリング状の緩衝材１２’’’’が前記薄いパイプＰの内周面ｇに当接するようリング状の緩衝材１２’’’を前記胴５の大径部の外周面５ａに形成した環状の溝Ｘ1 に設けてある。更に、陶器カバー体２は、上方開口を閉塞するキャップ５０２ｃと下方開口を閉塞するキャップ５０１ａを有する。３９１は、ポップアップ棒である。
【００９２】
一方、吐水管２９を覆う筒状の陶器カバー体３０’は、陶器カバー体２と同一の色で同一材料としている。吐水管２９は、陶器カバー体３０’の上流側開口２９ｆを閉塞するキャップ４１１と、陶器カバー体３０’の下流側開口２９ｉを閉塞するキャップ４１１’とを有する。そして、吐水管２９を覆う陶器カバー体３０’の強度を確保するために陶器カバー体３０’の内周面に金属製の薄いパイプＰ’を貼付け、この薄いパイプＰ’内に吐水管２９を設置するとともに、リング状の緩衝材４１０をキャップ４１１の固定部材４１１ａと前記パイプＰ’との間に設けてあり、陶器カバー体３０’の破損を防止している。
【００９３】
前記水側の操作部１３０は、洗面台の上面設置部３９９’上に、取付部材４０３ｂを介して立設されている。前記水側の操作部１３０は、上栓棒部５４ａおよび前記弁体５３に連動連結される下棒部５４ｂよりなる細長の栓棒５４と、栓棒５４を覆う筒状のガイド部材５４’と、上栓棒部５４ａに連動連結され、吐水・止水のために栓棒５４の軸芯まわりに水平面を描く形で回動可能な水平操作レバー４０７と、陶磁性材料からなる筒状のカバー体２’とで構成される。この陶磁性材料からなるカバー体（陶器カバー体）２’は、ガイド部材５４’、取付部材４０３ｂの上面設置部３９９’上面から上方に突出している部分を覆っている。取付部材４０３ｂは、陶器カバー体２’の下方開口を閉塞するようリング部材５０２を介して陶器カバー体２’に嵌込まれている。湯側の操作部１３０の構成は水側の操作部１３０の構成と同一である。
【００９４】
前記陶器カバー体２’は、陶器カバー体２，３０’と同一の色で同一材料である。前記陶器カバー体２’は、筒状で、外観が上下の方向（両矢印Ａ’で示す長手方向）に長く、長手方向の長さが胴５を覆う前記陶器カバー体２の長手方向の長さよりも長くなるよう形成されている。ガイド部材５４’、取付部材４０３ｂの上面設置部３９９’上面から上方に突出している部分が挿入可能な縦断面円形の貫通穴Ｓ’が前記Ａ’方向に沿って形成されている。
【００９５】
陶器カバー体２’の上方開口２ａ’はキャップ４０６により閉塞されている。キャップ４０６は、前記上栓棒部５４ａの上部先端に形成された雄ねじ螺合する雌ねじを有しており、キャップ４０６は、栓棒５４と共に栓棒５４の軸芯まわりに回動する。前記水平操作レバー４０７は、陶器カバー体２，２’，３０’と同一の色で同一材料の筒状の陶器体２’’を有するとともに、陶器体２’’のキャップ４０６側およびこれとは反対側の先端側にそれぞれ陶器体２’’の左側方開口ａおよび右側方開口ｂを閉塞するキャップ部分４０８および４０９を有する。前記湯側の操作部１３０も水側の操作部１３０と同一構成を有する。そして、陶器カバー体２’の破損を防止するためのリング状の緩衝材１２ａ’’，１２ａ’’が陶器カバー体２’の内周面および下端面に設けてある。陶器カバー体２，２’，３０’，２’’を同一の色で同一材料としてのは意匠的な効果を狙うためであり見栄えがする。
【００９６】
そして、陶器カバー体２のキャップ５０２ｃ，５０１ａ、陶器カバー体２’のキャップ４０６、湯側および水側の操作部１３０のリング部材５０２、陶器カバー体３０’のキャップ４１１，４１１’、水平操作レバー４０７のキャップ部分４０８および４０９、の外周面に同一色のメッキ処理が施されて見栄えを良くするとともに、高級感が味わえる。
【００９７】
図１７は、発明の第６の実施形態を示す。この実施形態では、洗面台の上面設置部３９９’に上面設置部３９９’を縦方向に貫通する一つの貫通孔３６０を設け、この貫通孔３６０に挿通された筒状の固定部材３６１を介して胴（水栓本体）５を上面設置部３９９’上に取り付けてある、いわゆる、ワンホールタイプのシングルレバー式湯水混合水栓Ｒ2 に陶磁性材料からなるカバー体２，３０’が設けられている。図１７において、図１〜図１６に示した符号と同一のものは、同一または相当物である。
【００９８】
図１７において、前記湯水混合水栓Ｒ2 の胴５を覆う陶器カバー体２は、外観がＡ’方向に長い直方体の形状をなし、長手方向の長さが胴５の長手方向の長さよりも若干長くなるよう形成されている。陶器カバー体２の内部には、胴５が挿入可能な縦断面円形の貫通穴ＳがＡ’方向に沿って形成されている。そして、吐水管２９を覆う筒状の陶器カバー体３０’は意匠的な効果を狙うために陶器カバー体２と同一の色で同一材料としている。陶器カバー体２の上方開口および下方開口は、それぞれ、樹脂製または金属製の上キャツプ３６３ａおよび下３６３ｂで閉塞されている。上キャツプ３６３ａは中央孔３６６を有し、この中央孔３６６に、吐水管２９と胴５を連結するための外側筒体３６５および内側筒体３６７が嵌込まれている。一方、直方体の形状の前記陶器カバー体２は、正面向かって右側の側面Ｖのほぼ中央位置にシングルレバー１取付部が位置する円形開口３６９を有し、この開口３６９がリング体３６８で覆われている。そして、上キャツプ３６３ａ、下３６３ｂ、外側筒体３６５、リング体３６８、シングルレバー１、陶器カバー体３０’の前面開口３１を覆うキャップ３２と、陶器カバー３０’の後面開口３３を覆うキャップ３４および吐水口３７を形成する筒状体３５ａの外周面に同一色のメッキ処理が施されて見栄えを良くしている。
更に、この実施形態では、前記側面Ｖのほぼ中央位置からシングルレバー１が縦・横方向に回動自在に突出しており、図１７（Ｂ）で二点鎖線で示すように縦方向における最も上側の位置までシングルレバー１を操作すると最大量の吐水状態となり、縦方向における最も下側の位置までシングルレバー１を操作すると止水状態となり、横方向に操作した場合は、正面向かって手前側にシングルレバー１を回動させると水のみの吐水状態となり、正面向かって向こう側にシングルレバー１を回動させると湯のみの吐水状態となる。このように、直方体の形状の前記陶器カバー体２の前記側面Ｖのほぼ中央位置にシングルレバー１を突出状態で設けるという斬新な構成を採用しており、この点でも見栄えがするとともに、高級感が味わえる。また、シングルレバー１を上方向に操作すると吐水状態になるよう構成したので、シングルレバーを下方向に操作すると吐水状態になる場合のように止水状態にあるのにシングルレバーに上から外力が加わり吐水状態になるおそれはなく、節水効果がある。  
【００９９】
図１８は、発明の第７の実施形態を示す。この実施形態では、洗面台の上面設置部３９９’に上面設置部３９９’を縦方向に貫通する一つの貫通孔３６０を設け、胴（水栓本体）５を下面側から固定部材３６１’を介して上面設置部３９９’上に取り付けてある自動水栓Ｒ3 に陶磁性材料からなるカバー体２，３０’が設けられている。図１８において、図１〜図１７に示した符号と同一のものは、同一または相当物である。
【０１００】
図１８において、自動水栓Ｒ3 は、胴５を覆う陶器カバー体２と吐水管２９を覆う筒状の陶器カバー体３０’を有する。陶器カバー体２は、外観がＡ’方向に長い直方体の形状をなし、長手方向の長さが胴５の長手方向の長さよりも若干長くなるよう形成されている。陶器カバー体２の内部には、胴５が挿入可能な縦断面円形の貫通穴ＳがＡ’方向に沿って形成されている。そして、吐水管２９を覆う筒状の陶器カバー体３０’は意匠的な効果を狙うために陶器カバー体２と同一の色で同一材料としている。陶器カバー体２の上方開口および下方開口は、それぞれ、樹脂製または金属製の上キャツプ３６３ａおよび下３６３ｂで閉塞されている。上キャツプ３６３ａは中央孔３６６を有し、この中央孔３６６に、吐水管２９と胴５を連結するための外側筒体３６５および内側筒体３６７が嵌込まれている。一方、直方体の形状の前記陶器カバー体２は、正面Ｖ’のほぼ中央位置に開口３６９’を有し、陶器カバー体２の強度を確保するために陶器カバー体２の内周面に貼付けられた金属製の薄いパイプＰは、前記開口３６９’の対向位置に開口３６９’’を有し、これらの開口３６９’，３６９’’内に受光素子、発光素子を備えたセンサ３３３’が保持され、かつ、センサ３３３’の脚３３３ａ’を介して基板３６７にセンサ３３３’が実装されている。また、前記開口３６９’は窓３３３で覆われている。そして、上キャツプ３６３ａ、下３６３ｂ、外側筒体３６５、陶器カバー体３０’の前面開口３１を覆うキャップ３２と、陶器カバー３０’の後面開口３３を覆うキャップ３４および吐水口３７を形成する筒状体３５ａの外周面に同一色のメッキ処理が施されて見栄えを良くしている。
【０１０１】
なお、この発明は、シャワ器具にも適用できる。例えば、グリップまたはシャワホルダーを陶磁性材料からなるカバー体（陶器カバー体）で覆うことで、和風の外観や独特の重量感、肌触りが実現できる上に、緩衝材を設けることで、前記陶器カバー体の破損を防止できる。すなわち、この発明では、例えば筒状のグリップをシャワヘッドを露出させた状態で筒状の陶器カバー体で覆うときに陶器カバー体をグリップに固定するのにねじを用いて陶器カバー体を締付けても上述したような緩衝材１２，１２’を用いてグリップを覆う陶器カバー体の破損を防止できる効果がある。同様に、例えば浴室の壁面に取り付けられたシャワホルダーを陶器カバー体で覆う場合においてもこの発明は適用でき、上述したような緩衝材１２，１２’を用いてシャワヘッドを覆う陶器カバー体の破損を防止できる効果がある。
【図面の簡単な説明】
【０１０２】
【図１】（Ａ）は、この発明の第１の実施形態を示す全体構成説明図である。（Ｂ）は、上記実施形態を示す要部構成説明図である。
【図２】上記実施形態の外観形状を示す図である。
【図３】上記実施形態で用いる別の緩衝材を示す要部構成説明図である。
【図４】（Ａ）は、この発明の第２の実施形態を示す要部構成説明図である。（Ｂ）は、上記第２の実施形態で用いた緩衝材を示す図である。
【図５】（Ａ）は、この発明の第３の実施形態を示す全体構成説明図である。（Ｂ）は、上記第３の実施形態で用いる緩衝材の取り付け状態を示す要部構成説明図である。
【図６】上記第３の実施形態における組付け手順を示す構成説明図である。
【図７】この発明の第４の実施形態を示す横断面図である。
【図８】上記第４の実施形態の外観形状を主として示す図である。
【図９】上記第４の実施形態を示す縦断面図である。
【図１０】上記第４の実施形態で用いた偏心管の内部の構成を示す断面図である。
【図１１】上記第４の実施形態で用いた偏心管のカバーの構成を示す断面図である。
【図１２】上記第４の実施形態で用いた偏心管のカバーの平面図である。
【図１３】上記第４の実施形態で用いた偏心管の分解斜視図である。
【図１４】上記第４の実施形態で用いた偏心管の組み付け方法を説明する図である。
【図１５】上記第４の実施形態で用いた偏心管を壁に取り付けた状態を示す図である。
【図１６】この発明の第５の実施形態を示す全体構成説明図である。
【図１７】（Ａ）は、この発明の第６の実施形態を示す構成説明図である。（Ｂ）は、上記第６の実施形態を示す縦断面図である。
【図１８】（Ａ）は、この発明の第７の実施形態を示す縦断面図である。（Ｂ）は、上記第７の実施形態を正面側からみた図である。
【図１９】従来例を示す全体構成説明図である。
【図２０】従来例を示す構成説明図である。
【符号の説明】
【０１０３】
２          陶磁性材料からなるカバー体
３，４      開口
５          水栓本体
１２        緩衝材
２９        吐水管
５０，５１  ハンドル
Ｒ          湯水混合水栓
【図１】
2005016286.tif 000003
【図２】
2005016286.tif 000004
【図３】
2005016286.tif 000005
【図４】
2005016286.tif 000006
【図５】
2005016286.tif 000007
【図６】
2005016286.tif 000008
【図７】
2005016286.tif 000009
【図８】
2005016286.tif 000010
【図９】
2005016286.tif 000011
【図１０】
2005016286.tif 000012
【図１１】
2005016286.tif 000013
【図１２】
2005016286.tif 000014
【図１３】
2005016286.tif 000015
【図１４】
2005016286.tif 000016
【図１５】
2005016286.tif 000017
【図１６】
2005016286.tif 000018
【図１７】
2005016286.tif 000019
【図１８】
2005016286.tif 000020
【図１９】
2005016286.tif 000021
【図２０】
2005016286.tif 000022